【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
リベットレスナットプレートであって、前記ナットプレートは、
実質的に平らな下面および実質的に平らな上面を有するベースプレートと、
ファスナーに係合するための複数の延在部であって、前記延在部はそれぞれ、前記上面に実質的に垂直な方向に前記上面から延在し、前記延在部は、前記延在部間にケージ領域を画定し、前記延在部は、前記ケージ領域において前記上面に対して前記ファスナーを保持するための保持具を受け取るように適合させられている、延在部と、
軸方向に平坦な円柱である本体であって、前記下面から遠位端に延在する本体を備えるアンカであって、前記本体は、前記アンカのまわりに形成された、基材の一部を含むための溝を有し、前記溝は、前記下面と前記遠位端との間に配置され、前記アンカの対称軸に平行ではない向きを有し、前記本体は、前記ベースプレートの前記下面に垂直な軸に関して回転対称ではない立体構造を有する、アンカと
を備え、前記ナットプレートの前記アンカが基材内に埋め込まれると、前記ベースプレートの前記下面は、前記基材の表面に対して同一平面となり、前記ナットプレートは、前記溝内に収容された前記基材の前記一部を破壊することも変形させることもなしに前記基材から抜去されることができず、前記ナットプレートは、前記アンカを中心として回転させられることができず、前記ナットプレートは、前記基材の表面に対する固定配置における前記ケージ領域を提供する、ナットプレート。
【請求項２】
前記溝は、前記円柱の軸に実質的に垂直な平面において、前記円柱の外面上に配置されている、請求項１に記載のナットプレート。
【請求項３】
前記アンカを通って延在する第１のボアと前記ベースプレートを通って延在する第２のボアとを有し、前記ベースプレートは、前記ボアの軸に関して回転対称である、請求項１に記載のナットプレート。
【請求項４】
前記第１のボアは、前記ケージ領域と連通している、請求項３に記載のナットプレート。
【請求項５】
前記アンカ本体は、軸方向に平坦な円柱であり、前記円柱は、前記第１のボアおよび前記第２のボアと同軸である、請求項３に記載のナットプレート。
【請求項６】
前記アンカは、前記円柱の両側に配置された一対の平坦面を有し、前記平坦面はそれぞれ、相互に実質的に平行である、請求項５に記載のナットプレート。
【請求項７】
前記延在部は、前記延在部のまわりに延在するくぼみを有し、保持具を前記くぼみに係合させる、請求項１に記載のナットプレート。
【請求項８】
前記延在部はそれぞれ、外周縁を有し、前記くぼみは、実質的に、前記延在部の前記外周縁全体に延在する、請求項７に記載のナットプレート。
【請求項９】
前記くぼみは、実質的に、前記延在部の前記外周縁の少なくとも５０％に延在する、請求項８に記載のナットプレート。
【請求項１０】
前記アンカ、ベースプレート、および延在部は、一体式である、請求項１に記載のナットプレート。
【請求項１１】
前記アンカ、ベースプレート、および延在部は、単一体である、請求項１に記載のナットプレート。
【請求項１２】
前記アンカ、前記ベースプレート、および前記延在部のうちの少なくとも２つは、一体式である、請求項１に記載のナットプレート。
【請求項１３】
前記アンカ、前記ベースプレート、および前記延在部（単数または複数）のうちの１つまたは複数は、炭素鋼、合金鋼、ステンレス鋼、１７−４ＰＨステンレス、１７−７ＰＨステンレス、３００系ステンレス、４００系ステンレス、Ｉｎｃｏｎｅｌ、Ｗａｓｐａｌｌｏｙステンレス、高性能ポリマーまたはポリマー複合材、およびチタンから成る群から選択される材料から作製されている、請求項１に記載のナットプレート。
【請求項１４】
前記アンカ、前記ベースプレート、および前記延在部（単数または複数）のうちの１つまたは複数は、ポリマー、亜鉛、カドミウム、アルミニウム、ニッケル、および／またはクロムから成る群から選択される材料を含むコーティングを有する、請求項１に記載のナットプレート。
【請求項１５】
基材および請求項１に記載のナットプレートを備えるワークピース。
【請求項１６】
前記ワークピースは、航空宇宙産業用構成部品である、請求項１５に記載のワークピース。
【請求項１７】
前記ワークピースは、自動車用構成部品である、請求項１５に記載のワークピース。
【請求項１８】
前記ワークピースは、医療用構成部品である、請求項１５に記載のワークピース。
【請求項１９】
前記ワークピースは、構造用構成部品である、請求項１５に記載のワークピース。
【請求項２０】
ナットプレートアセンブリであって、前記アセンブリは、
請求項１に記載のナットプレートと、
保持具と、
ファスナーと
を備え、前記保持具は、前記延在部に係合し、前記ファスナーを前記ケージ領域内および前記ベースプレートの上面に対して保持する、アセンブリ。
【請求項２１】
前記延在部は、前記延在部のまわりに延在するくぼみを有し、保持具を前記くぼみに係合させ、前記保持具は、少なくとも１つのくぼみに係合する保持クリップである、請求項２０に記載のアセンブリ。
【請求項２２】
前記ファスナーは、ねじ山付きナットである、請求項２０に記載のアセンブリ。
【請求項２３】
ナットプレートを伴うワークピースを製造する方法であって、前記方法は、請求項１に記載の少なくとも１つのナットプレートを型内の位置に定置することと、前記アンカの前記溝が硬化または成形された基材の一部を含むように、前記ナットプレートの周囲で前記基材を成形または硬化させることとを含む、方法。
【請求項２４】
第１のワークピースを第２のワークピースに取り付ける方法であって、請求項１に記載の少なくとも１つのナットプレートを型内の位置に定置し、そして、前記アンカの前記溝が硬化または成形された基材の一部を含むように、前記ナットプレートの周囲で前記基材を成形または硬化させることによって、ナットプレートを伴う第１のワークピースを製造することと、ねじ山付きナットを前記ベースプレートの前記上面に対して定置することと、保持具と前記延在部とを係合させることにより、前記ナットをケージ区域内に保持することと、第２のワークピースに取り付けられているボルトを前記ナットに挿入することと、前記第１のワークピースを前記第２のワークピースにボルト締めすることとを含む、方法。
【請求項２５】
前記基材は、前記ナットプレートが前記基材に添着された後、ワークピースに取り付けられる、請求項２４に記載の方法。
【請求項２６】
ナットプレート−ワークピース一体化物であって、前記一体化物は、少なくとも１つの実質的に平らな表面を有するワークピース部分を備え、ファスナーに係合するための複数の延在部が、前記平らな表面から延在し、前記延在部はそれぞれ、前記平らな表面に実質的に垂直な方向に、前記実質的に平らな表面から延在し、前記延在部は、前記延在部間にケージ領域を画定し、前記延在部は、前記ケージ領域において前記表面に対して前記ファスナーを保持するための保持具を受け取るように適合させられ、前記ケージ領域は、基材の表面に対する固定配置にあり、前記ワークピースの前記延在部および前記平らな表面は、一体式部品を形成するように共成形されている、一体化物。
【請求項２７】
前記延在部は、前記延在部のまわりに延在するくぼみを有し、保持具を前記くぼみに係合させる、請求項２６に記載の一体化物。
【請求項２８】
前記延在部はそれぞれ、外周縁を有し、前記くぼみは、実質的に、前記延在部の前記外周縁全体に延在する、請求項２７に記載の一体化物。
【請求項２９】
前記くぼみは、実質的に、前記延在部の前記外周縁の少なくとも５０％に延在する、請求項２８に記載の一体化物。
【請求項３０】
ナットプレートを伴うワークピースを製造する方法であって、前記方法は、少なくとも１つのナットプレートを型内の位置に定置することと、前記ナットプレートが前記ワークピースに付着させられるように、前記ナットプレートの周囲で基材を成形または硬化させることとを含む、方法。
【請求項３１】
第１のワークピースを第２のワークピースに取り付ける方法であって、前記方法は、少なくとも１つのナットプレートを型内の位置に定置し、そして、前記ナットプレートが前記ワークピースに添着されるように、前記ナットプレートの周囲で基材を成形または硬化させることによって、ナットプレートを伴う第１のワークピースを製造することを含む、方法。
【手続補正２】
【補正対象書類名】明細書
【補正対象項目名】００１３
【補正方法】変更
【補正の内容】
【００１３】
少なくとも１つのナットプレートを型内の位置に定置することと、ナットプレートがワークピースに付着させられるように、ナットプレートの周囲で基材を成形または硬化させることとを含む、ナットプレートを伴うワークピースを製造する方法も、含まれる。そのような方法では、ナットプレートは、当技術分野において公知であるかまたは開発中であるかのいずれであってもよい。
本発明は、例えば、以下を提供する。
（項目１）
リベットレスナットプレートであって、前記ナットプレートは、
実質的に平らな下面および実質的に平らな上面を有するベースプレートと、
ファスナーに係合するための複数の延在部であって、前記延在部はそれぞれ、前記上面に実質的に垂直な方向に前記上面から延在し、前記延在部は、前記延在部間にケージ領域を画定し、前記延在部は、前記ケージ領域において前記上面に対して前記ファスナーを保持するための保持具を受け取るように適合させられている、延在部と、
前記下面から遠位端に延在する本体を備えるアンカであって、前記本体は、前記アンカのまわりに形成される基材の一部を含む溝を有し、前記溝は、前記下面と前記遠位端との間に配置され、前記アンカの対称軸に平行ではない向きを有し、前記本体は、前記ベースプレートの前記下面に垂直な軸に関して回転対称ではない立体構造を有する、アンカと
を備え、前記ナットプレートの前記アンカが基材内に埋め込まれると、前記ベースプレートの前記下面は、前記基材の表面に対して同一平面となり、前記ナットプレートは、前記溝内に収容された前記基材の部分を破壊することも変形させることもなしに前記基材から抜去されることができず、前記ナットプレートは、前記アンカを中心として回転させられることができず、前記ナットプレートは、前記基材の表面に対する固定配置における前記ケージ領域を提供する、ナットプレート。
（項目２）
前記アンカ本体は、軸方向に平坦な円柱である、項目１に記載のナットプレート。
（項目３）
前記溝は、前記円柱の軸に実質的に垂直な平面において、前記円柱の外面上に配置されている、項目２に記載のナットプレート。
（項目４）
前記アンカを通って延在する第１のボアと前記ベースプレートを通って延在する第２のボアとを有し、前記ベースプレートは、前記ボアの軸に関して回転対称である、項目１に記載のナットプレート。
（項目５）
前記第１のボアは、前記ケージ領域と連通している、項目４に記載のナットプレート。
（項目６）
前記アンカ本体は、軸方向に平坦な円柱であり、前記円柱は、前記第１のボアおよび前記第２のボアと同軸である、項目４に記載のナットプレート。
（項目７）
前記アンカは、前記円柱の両側に配置された一対の平坦面を有し、前記平坦面はそれぞれ、相互に実質的に平行である、項目６に記載のナットプレート。
（項目８）
前記延在部は、前記延在部のまわりに延在するくぼみを有し、保持具を前記くぼみに係合させる、項目１に記載のナットプレート。
（項目９）
前記延在部はそれぞれ、外周縁を有し、前記くぼみは、実質的に、前記延在部の前記外周縁全体に延在する、項目８に記載のナットプレート。
（項目１０）
前記くぼみは、実質的に、前記延在部の前記外周縁の少なくとも５０％に延在する、項目９に記載のナットプレート。
（項目１１）
前記アンカ、ベースプレート、および延在部は、一体式である、項目１に記載のナットプレート。
（項目１２）
前記アンカ、ベースプレート、および延在部は、単一体である、項目１に記載のナットプレート。
（項目１３）
前記アンカ、前記ベースプレート、および前記延在部のうちの少なくとも２つは、一体式である、項目１に記載のナットプレート。
（項目１４）
前記アンカ、前記ベースプレート、および前記延在部（単数または複数）のうちの１つまたは複数は、炭素鋼、合金鋼、ステンレス鋼、１７−４ＰＨステンレス、１７−７ＰＨステンレス、３００系ステンレス、４００系ステンレス、Ｉｎｃｏｎｅｌ、Ｗａｓｐａｌｌｏｙステンレス、高性能ポリマーまたはポリマー複合材、およびチタンから成る群から選択される材料から作製されている、項目１に記載のナットプレート。
（項目１５）
前記アンカ、前記ベースプレート、および前記延在部（単数または複数）のうちの１つまたは複数は、ポリマー、亜鉛、カドミウム、アルミニウム、ニッケル、および／またはクロムから成る群から選択される材料を含むコーティングを有する、項目１に記載のナットプレート。
（項目１６）
基材および項目１に記載のナットプレートを備えるワークピース。
（項目１７）
前記ワークピースは、航空宇宙産業用構成部品である、項目１６に記載のワークピース。
（項目１８）
前記ワークピースは、自動車用構成部品である、項目１６に記載のワークピース。
（項目１９）
前記ワークピースは、医療用構成部品である、項目１６に記載のワークピース。
（項目２０）
前記ワークピースは、構造用構成部品である、項目１６に記載のワークピース。
（項目２１）
ナットプレートアセンブリであって、前記アセンブリは、
項目１に記載のナットプレートと、
保持具と、
ファスナーと
を備え、前記保持具は、前記延在部に係合し、前記ファスナーを前記ケージ領域内および前記ベースプレートの上面に対して保持する、アセンブリ。
（項目２２）
項目８に記載のナットプレートを有し、前記保持具は、少なくとも１つのくぼみに係合する保持クリップである、項目２１に記載のアセンブリ。
（項目２３）
前記ファスナーは、ねじ山付きナットである、項目２１に記載のアセンブリ。
（項目２４）
ナットプレートを伴うワークピースを製造する方法であって、前記方法は、項目１に記載の少なくとも１つのナットプレートを型内の位置に定置することと、前記アンカの前記溝が硬化または成形された基材の一部を含むように、前記ナットプレートの周囲で前記基材を成形または硬化させることとを含む、方法。
（項目２５）
第１のワークピースを第２のワークピースに取り付ける方法であって、項目１に記載の少なくとも１つのナットプレートを型内の位置に定置し、そして、前記アンカの前記溝が硬化または成形された基材の一部を含むように、前記ナットプレートの周囲で前記基材を成形または硬化させることによって、ナットプレートを伴う第１のワークピースを製造することと、ねじ山付きナットを前記ベースプレートの前記上面に対して定置することと、保持具と前記延在部とを係合させることにより、前記ナットをケージ区域内に保持することと、第２のワークピースに取り付けられているボルトを前記ナットに挿入することと、前記第１のワークピースを前記第２のワークピースにボルト締めすることとを含む、方法。
（項目２６）
前記基材は、前記ナットプレートが前記基材に添着された後、ワークピースに取り付けられる、項目２５に記載の方法。
（項目２７）
ナットプレート−ワークピース一体化物であって、前記一体化物は、少なくとも１つの実質的に平らな表面を有するワークピース部分を備え、ファスナーに係合するための複数の延在部が、前記平らな表面から延在し、前記延在部はそれぞれ、前記平らな表面に実質的に垂直な方向に、前記実質的に平らな表面から延在し、前記延在部は、前記延在部間にケージ領域を画定し、前記延在部は、前記ケージ領域において前記表面に対して前記ファスナーを保持するための保持具を受け取るように適合させられ、前記ケージ領域は、基材の表面に対する固定配置にあり、前記ワークピースの前記延在部および前記平らな表面は、一体式部品を形成するように共成形されている、一体化物。
（項目２８）
前記延在部は、前記延在部のまわりに延在するくぼみを有し、保持具を前記くぼみに係合させる、項目２７に記載の一体化物。
（項目２９）
前記延在部はそれぞれ、外周縁を有し、前記くぼみは、実質的に、前記延在部の前記外周縁全体に延在する、項目２８に記載の一体化物。
（項目３０）
前記くぼみは、実質的に、前記延在部の前記外周縁の少なくとも５０％に延在する、項目２９に記載の一体化物。
（項目３１）
ナットプレートを伴うワークピースを製造する方法であって、前記方法は、少なくとも１つのナットプレートを型内の位置に定置することと、前記ナットプレートが前記ワークピースに付着させられるように、前記ナットプレートの周囲で基材を成形または硬化させることとを含む、方法。
（項目３２）
第１のワークピースを第２のワークピースに取り付ける方法であって、前記方法は、少なくとも１つのナットプレートを型内の位置に定置し、そして、前記ナットプレートが前記ワークピースに添着されるように、前記ナットプレートの周囲で基材を成形または硬化させることによって、ナットプレートを伴う第１のワークピースを製造することを含む、方法。